(57)【要約】【課題】搬送路で発生した紙詰まりの復旧にかかる時間を短縮し装置の稼動率を向上する。【解決手段】紙葉類処理装置は、搬送路を、第１の搬送区間と第２の搬送区間に区分し、帳票を第１の搬送区間から第２の搬送区間を通じてその先へ搬送する帳票処理装置において、各搬送区間毎に、帳票に搬送力を付与する搬送力付与手段と、各搬送区間における帳票の紙詰まりを検出する検出手段と、この検出手段により第１の搬送区間での前記帳票の紙詰まりが検出された場合、第１の搬送区間の搬送力を無くし、かつ第２の搬送区間の搬送力の付与を維持するよう前記搬送力付与手段を制御する制御手段とを備える。【選択図】図１
2010275082.tif 000002
【特許請求の範囲】
【請求項１】
搬送路を、第１の搬送区間と第２の搬送区間に区分し、帳票を前記第１の搬送区間から前記第２の搬送区間を通じてその先へ搬送する紙葉類処理装置において、
各搬送区間毎に、前記帳票に搬送力を付与する搬送力付与手段と、
前記各搬送区間における前記帳票の紙詰まりを検出する検出手段と、
前記検出手段により前記第１の搬送区間での前記帳票の紙詰まりが検出された場合、前記第１の搬送区間の帳票搬送力を無くし、かつ前記第２の搬送区間の帳票搬送力の付与を維持するよう前記搬送力付与手段を制御する制御手段と
を具備することを特徴とする紙葉類処理装置。
【請求項２】
搬送路を、第１の搬送区間とこの第１の搬送区間から分岐する第２の搬送区間と第３の搬送区間とに区分し、帳票を、前記第１の搬送区間から第２の搬送区間または第３の搬送区間を通じてそれぞれの区間の先の収容場所へ搬送する帳票処理装置において、
各搬送区間毎に、前記帳票に搬送力を付与する搬送力付与手段と、
前記各搬送区間における前記帳票の紙詰まりを検出する検出手段と、
前記検出手段により前記第１の搬送区間における前記帳票の紙詰まりが検出された場合、前記第１の搬送区間の搬送力を無くし、かつ前記第２の搬送区間および第３の搬送区間における帳票の搬送力の付与を維持するよう前記搬送力付与手段を制御する制御手段と
を具備することを特徴とする紙葉類処理装置。
【請求項３】
搬送路を、第１の搬送区間とこの第１の搬送区間から分岐する第２の搬送区間と第３の搬送区間とに区分し、帳票を、前記第１の搬送区間から第２の搬送区間または第３の搬送区間を通じてそれぞれの区間の先へ搬送する帳票処理装置において、
各搬送区間毎に、前記帳票に搬送力を付与する搬送力付与手段と、
前記各搬送区間における前記帳票の紙詰まりを検出する検出手段と、
前記検出手段により前記第２の搬送区間または前記第３の搬送区間における前記帳票の紙詰まりが検出された場合、紙詰まりが検出された側の搬送区間の帳票搬送力を無くし、かつ紙詰まりが未検出の側の搬送区間における帳票搬送力の付与を維持するよう前記搬送力付与手段を制御する制御手段と
を具備することを特徴とする紙葉類処理装置。
【請求項４】
搬送路を、第１の搬送区間とこの第１の搬送区間から分岐する第２の搬送区間と第３の搬送区間とに区分し、収容場所が指定された前記帳票を、前記第１の搬送区間から第２の搬送区間または第３の搬送区間を通じてそれぞれの区間の先の収容場所へ搬送する帳票処理装置において、
各搬送区間毎に、前記帳票に搬送力を付与する搬送力付与手段と、
前記各搬送区間における前記帳票の紙詰まりを検出する検出手段と、
前記第２の搬送区間または前記第３の搬送区間において前記検出手段により前記帳票の紙詰まりが検出された場合、前記帳票とその後に続く後続帳票の収容場所が、紙詰まり区間の先か否かを判定する判定部と、
前記判定部により判定された前記帳票の収容場所が、紙詰まり区間の先の場合、紙詰まり区間の帳票搬送力を無くするよう前記搬送力付与手段を制御すると共に、前記後続帳票の収容場所が、紙詰まり区間の先ではない場合、前記第１の搬送区間および分岐した他方の側の搬送区間における帳票搬送力の付与を維持する一方、前記帳票と前記後続帳票の収容場所が、共に紙詰まり区間の先の場合、前記第１の搬送区間および紙詰まり区間の帳票搬送力を無くするよう前記搬送力付与手段を制御する制御手段と
を具備することを特徴とする紙葉類処理装置。
【発明の詳細な説明】
【技術分野】
【０００１】
本発明は、例えば帳票などの紙葉類を搬送処理する紙葉類処理装置に関する。
【背景技術】
【０００２】
帳票等の紙葉類を搬送する搬送路上に光学読み取り部を配置し、この光学読み取り部を介して紙葉類に記された文字や図形等をイメージとして読み取る紙葉類移動型の光学的文字読取装置が一般に知られている（例えば特許文献１参照）。
【０００３】
この種の光学的文字読取装置は、搬送路上の各部に、紙詰まり検出用のセンサを配置し、搬送中の帳票がいずれかのセンサによって一定時間以上継続して検出された場合に、紙詰まり（ｊａｍ）と判定し、搬送手段による帳票の搬送を停止するようにしている。
【先行技術文献】
【特許文献】
【０００４】
【特許文献１】特開平０６−２０８６４８号公報
【発明の概要】
【発明が解決しようとする課題】
【０００５】
ところで、搬送路で帳票のｊａｍが発生すると、搬送手段による帳票の搬送動作がすべて停止されることから、搬送路を搬送中の、ｊａｍが発生していない帳票も装置内に取り残されることになる。
【０００６】
例えば多段スタッカを備え帳票の連続処理を行うような大型の装置でｊａｍが発生した場合、搬送路の内には多くの帳票が滞留することになり、搬送路から全ての帳票を手作業で取り除くためには多くの時間を費やすことになり装置の稼働率が低下するという問題があった。
【０００７】
本発明はこのような課題を解決するためになされたもので、搬送路において発生した紙詰まりの復旧にかかる時間を短縮し、装置の稼動率を向上することを目的とする。
【課題を解決するための手段】
【０００８】
上記の課題を解決するために、本発明の紙葉類処理装置は、搬送路を、第１の搬送区間と第２の搬送区間に区分し、帳票を前記第１の搬送区間から前記第２の搬送区間を通じてその先へ搬送する紙葉類処理装置において、各搬送区間毎に、前記帳票に搬送力を付与する搬送力付与手段と、前記各搬送区間における前記帳票の紙詰まりを検出する検出手段と、
前記検出手段により前記第１の搬送区間での前記帳票の紙詰まりが検出された場合、前記第１の搬送区間の帳票搬送力を無くし、かつ前記第２の搬送区間の帳票搬送力の付与を維持するよう前記搬送力付与手段を制御する制御手段とを具備することを特徴とする。
【０００９】
本発明の紙葉類処理装置は、搬送路を、第１の搬送区間とこの第１の搬送区間から分岐する第２の搬送区間と第３の搬送区間とに区分し、帳票を、前記第１の搬送区間から第２の搬送区間または第３の搬送区間を通じてそれぞれの区間の先の収容場所へ搬送する帳票処理装置において、各搬送区間毎に、前記帳票に搬送力を付与する搬送力付与手段と、前記各搬送区間における前記帳票の紙詰まりを検出する検出手段と、前記検出手段により前記第１の搬送区間における前記帳票の紙詰まりが検出された場合、前記第１の搬送区間の搬送力を無くし、かつ前記第２の搬送区間および第３の搬送区間における帳票の搬送力の付与を維持するよう前記搬送力付与手段を制御する制御手段とを具備することを特徴とする。
【００１０】
本発明の紙葉類処理装置は、搬送路を、第１の搬送区間とこの第１の搬送区間から分岐する第２の搬送区間と第３の搬送区間とに区分し、帳票を、前記第１の搬送区間から第２の搬送区間または第３の搬送区間を通じてそれぞれの区間の先へ搬送する帳票処理装置において、各搬送区間毎に、前記帳票に搬送力を付与する搬送力付与手段と、前記各搬送区間における前記帳票の紙詰まりを検出する検出手段と、前記検出手段により前記第２の搬送区間または前記第３の搬送区間における前記帳票の紙詰まりが検出された場合、紙詰まりが検出された側の搬送区間の帳票搬送力を無くし、かつ紙詰まりが未検出の側の搬送区間における帳票搬送力の付与を維持するよう前記搬送力付与手段を制御する制御手段とを具備することを特徴とする。
【００１１】
本発明の紙葉類処理装置は、搬送路を、第１の搬送区間とこの第１の搬送区間から分岐する第２の搬送区間と第３の搬送区間とに区分し、収容場所が指定された前記帳票を、前記第１の搬送区間から第２の搬送区間または第３の搬送区間を通じてそれぞれの区間の先の収容場所へ搬送する帳票処理装置において、各搬送区間毎に、前記帳票に搬送力を付与する搬送力付与手段と、前記各搬送区間における前記帳票の紙詰まりを検出する検出手段と、前記第２の搬送区間または前記第３の搬送区間において前記検出手段により前記帳票の紙詰まりが検出された場合、前記帳票とその後に続く後続帳票の収容場所が、紙詰まり区間の先か否かを判定する判定部と、前記判定部により判定された前記帳票の収容場所が、紙詰まり区間の先の場合、紙詰まり区間の帳票搬送力を無くするよう前記搬送力付与手段を制御すると共に、前記後続帳票の収容場所が、紙詰まり区間の先ではない場合、前記第１の搬送区間および分岐した他方の側の搬送区間における帳票搬送力の付与を維持する一方、前記帳票と前記後続帳票の収容場所が、共に紙詰まり区間の先の場合、前記第１の搬送区間および紙詰まり区間の帳票搬送力を無くするよう前記搬送力付与手段を制御する制御手段とを具備することを特徴とする。
【発明の効果】
【００１２】
本発明によれば、搬送路において発生した紙詰まりの復旧にかかる時間を短縮し、装置の稼動率を向上することができる。
【図面の簡単な説明】
【００１３】
【図１】本発明の第１実施形態の光学的文字読取装置の構成を示す側面透視図である。
【図２】光学的文字読取装置の制御系の構成を示す図である。
【図３】図１の分岐部分Ａの拡大図である。
【図４】光学的文字読取装置の動作を示すフローチャートである。
【図５】第２区間でｊａｍが発生したケースを示す図である。
【図６】第１区間でｊａｍが発生したケースを示す図である。
【図７】第３区間でｊａｍが発生したケースを示す図である。
【図８】第２実施形態の構成を示す側面透視図である。
【発明を実施するための形態】
【００１４】
以下、図面を参照して、本発明の紙葉類処理装置の一つの実施の形態の光学的文字読取装置を詳細に説明する。
【００１５】
図１乃至図３に示すように、この実施形態の光学的文字読取装置は、帳票Ｐを積載するホッパテーブル２（以下「ホッパ２」と称す）と、帳票Ｐの取込部としてのピックアップローラ３と、帳票取込口付近に設けられた分離部（フィードローラ４およびセパレートローラ６）と、操作部３５と、搬送モータ７０、搬送路５上に所定間隔で設けられた回転自在なローラとしてのピンチローラ７７、７８、７９と、搬送モータ７０によりベルト７２，７５を介して駆動される駆動用のローラとしてのドライブローラ７３、７４、７６と、読取部１５と、帳票Ｐの収容場所であるポケット部４０と、帳票Ｐをポケット部４０に振分けるフラッパ８０〜８４と、搬送路５の所定位置に配置されたセンサ５１〜６５等）と、各部をコントロールするコントローラ３０とを備えている。
【００１６】
ポケット部４０は、複数のポケット（エラーポケット４１、第１ポケット４２、第２ポケット４３、第３ポケット４４、第４ポケット４５、第５ポケット４６）を段状に設けたものである。エラーポケット４１は、搬送路５の初めの分岐部分Ａ（図１では最上段）に一つ設けられている。
【００１７】
エラーポケット４１は、読み取り処理の際にエラーが発生したり、また指定ポケットに排出できない、読み取りができなかった帳票（リジェクト帳票）をストックするためのポケットである。
【００１８】
その他のポケット（第１ポケット４２、第２ポケット４３、第３ポケット４４、第４ポケット４５、第５ポケット４６）は、正常に読み取り処理がなされた帳票Ｐが、帳票Ｐの文字読取結果に基づいて分類された結果として所定のポケットに収容される。この分類とは、例えば同時に複数種類の帳票を読み取りする場合には、種類毎に収容するポケットを指定することが考えられる。
【００１９】
図３に示すように、搬送路５は、ポケット部４０への分岐部分Ａにおいて、第１の搬送区間としての第１区間２１、第２の搬送区間としての第２区間２２、第３の搬送区間としての第３区間２３に区分されている。読取部１５で読み取られた後の帳票Ｐは、第１区間２１から第２の区間２２または第１区間２１から第３区間２３を通じてそれぞれの先の収容場所であるポケット部４０へ搬送される。
【００２０】
第１区間２１は、分岐手前の区間である。第２区間２２は、第１区間２１の先に設けられており、正常処理された帳票Ｐを該当ポケットに搬送するための区間である。第３区間２３は、第１区間２１の先で第２区間２２とは異なる方向に分岐して設けられており、エラーとなった帳票Ｐをエラーポケット４１に収容するための区間である。
【００２１】
フラッパ８０〜８４は、コントローラ３０により駆動部４６が制御されて、各ポケットに搬送されるように帳票Ｐを振り分ける。例えば分岐部分Ａに設置されたフラッパ８０は、帳票Ｐを第２区間２２または第３区間２３のいずれかへ振り分ける。
【００２２】
ホッパ２は、モータ（図示せず）によって上下に移動可能であり、帳票の処理を開始するときに、積載した帳票Ｐをピックアップローラ３に当接する位置まで上昇させる。
【００２３】
ピックアップローラ３は、モータ（図示せず）により回転駆動され、ホッパ２に積載された帳票Ｐのうち、ローラ表面に当接した最上部の帳票Ｐを回転によるローラ表面の摩擦力で引き込む。
【００２４】
フィードローラ４は、ピックアップローラ３に同期してピックアップローラ３と同じ方向に回転する。セパレートローラ６は、フィードローラ４と対向して設けられており、フィードローラ４の回動速度に対して遅延させたり、逆の方向に回転または停止させることで、重送される帳票Ｐを一枚ずつに分離する。
【００２５】
読取部１５は、例えばＣＣＤラインセンサーなどにより構成されるものであり、帳票Ｐから画像を読み取り、その画像を図示しないホストコンピュータへ送る。これにより、画像から文字などが認識され、認識処理の結果がコントローラ３０に戻される。
【００２６】
コントローラ３０は、戻された処理結果にエラーがあった場合、その帳票Ｐの収容場所をエラーポケット４１に決定し、搬送制御する。
【００２７】
ピンチローラ７７、７８、７９は、ドライブローラ７３、７４、７６に対向して設けられており、対向するもの同士で帳票Ｐを挟んで搬送する。
【００２８】
ドライブローラ７３、７４、７６は、電磁クラッチ（以下「クラッチ７３ａ，７４ａ，７６ａ」と称す）を内蔵したローラである。各ローラに内蔵されるクラッチ７３ａ，７４ａ，７６ａは、コントローラ３０が個々にＯｎ・Ｏｆｆ制御可能である。
【００２９】
ここで、クラッチ７３ａ，７４ａ，７６ａをＯｎするとは、搬送モータ７０の回転軸７１の回転に伴うベルト７２，７５を介した駆動力をローラに伝達しないことをいい、図の説明では「回転フリー」と記す。また、クラッチ７３ａ，７４ａ，７６ａをＯｆｆするとは、搬送モータ７０の回転軸７１の回転に伴うベルト７２，７５を介した駆動力をローラに伝達することをいい、図の説明では「回転」と記す。
【００３０】
ドライブローラ７３、７４、７６とピンチローラ７７、７８、７９との組は、各区間に一つずつ設けられている。ドライブローラ７３とピンチローラ７７との組は第１区間２１に設けられている。ドライブローラ７６とピンチローラ７９との組は第２区間２２に設けられている。ドライブローラ７４とピンチローラ７８との組は第３区間２３に設けられている。
【００３１】
電磁クラッチ付きのドライブローラ７３、７４、７６、ピンチローラ７７、７８、７９、ベルト７２，７５および搬送モータ７０を総称して搬送力付与手段という。搬送力付与手段は各区間毎に、帳票Ｐに対して搬送力を付与する。
【００３２】
センサ５１〜６５は、搬送路５の各位置および区間に所定間隔で配置されている。所定間隔では、この装置で処理可能な最低サイズ（例えばＡ５サイズなど）の帳票Ｐの搬送方向の長さである。
【００３３】
センサ５１〜６５は、発光部と受光部とを搬送路５を隔てて対向配置したフォトセンサーなどの遮光センサであり、搬送路５上を搬送される帳票Ｐにより発光部から発光された光が受光部により受光されなくなった、つまり遮光されたときに「暗」信号をコントローラ３０へ送出し、それ以外のときは「明」信号をコントローラ３０へ送出する。
【００３４】
すなわち、センサ５１〜６５は、搬送路５の各位置および各区間を通る帳票Ｐを検出し、コントローラ３０へ通知する。
【００３５】
通常、搬送路５を搬送される帳票Ｐが正常にセンサ５１〜６５の位置を通過すると、「暗」信号は、一瞬（数ｍｓｅｃ）だけ出力される。これを一定時間と定める。コントローラ３０は、各位置のセンサ５１〜６５から「暗」信号が一定時間以上継続して受信された場合、紙詰まり（ｊａｍ）と判定する。
【００３６】
換言すると、コントローラ３０は、各位置のセンサ５１〜６５により帳票Ｐが一定時間以上継続して検出された場合（帳票Ｐの滞留検知）、ｊａｍと判定し、ｊａｍが発生した区間に存在する帳票Ｐの搬送を停止し、それ以外の区間に存在する帳票Ｐについては、排出するように搬送制御を行う。センサ５１〜６５とコントローラ３０を総称して帳票Ｐの紙詰まりを検出する検出手段という。
【００３７】
図２に示すように、コントローラ３０は、主にＣＰＵ３１、メモリ３２およびインターフェース３３を有している。
【００３８】
メモリ３２には、センサ５１〜６５やクラッチ７３ａ，７４ａ，７６ａおよびフラッパ８０〜８４がどの区間、どの位置に配置されているか（属するか）といったセンサやクラッチと区間との対応を示す情報が記憶されている。
【００３９】
またメモリ３２には、本装置の制御プログラムが記憶されており、本装置の起動時（電源投入時）にＣＰＵ３１が制御プログラムを読み出して本プログラムを実行する。
【００４０】
これにより、コントローラ３０は、例えば図５に示すように、センサ５６の滞留検知により第２区間２２での帳票Ｐ２のｊａｍを検出した場合、第２区間２２で帳票搬送力を無くし、かつｊａｍが未検出の側の第３区間２３における帳票搬送力の付与を維持するよう搬送力付与手段を制御する。
【００４１】
また、コントローラ３０は、例えば図６に示すように、センサ５４の滞留検知により第１区間２１での帳票Ｐ１のｊａｍを検出した場合、第１区間２１の帳票搬送力を無くし、かつ第２区間２２の帳票搬送力の付与を維持するよう搬送力付与手段を制御する。
【００４２】
さらに、コントローラ３０は、例えば図７に示すように、センサ５５の滞留検知により第３区間２３での帳票Ｐ３のｊａｍを検出した場合、第３区間２３で帳票搬送力を無くし、かつｊａｍが未検出の側の第２区間２２における帳票搬送力の付与を維持するよう搬送力付与手段を制御する。
【００４３】
すなわち、コントローラ３０は、センサ５５またはセンサ５６の滞留検知により第２区間２２または第３区間２３における帳票Ｐ２，Ｐ３いずれかの紙詰まりを検出した場合、ｊａｍが検出された側の区間の帳票搬送力を無くし、かつｊａｍが未検出の側の区間における帳票搬送力の付与を維持するよう搬送力付与手段を制御する。
【００４４】
なお、図７において、帳票Ｐの収容場所の指定を加味する場合、コントローラ３０は、第２区間２２または第３区間２３に配置されたセンサ５５またはセンサ５６により帳票Ｐ２または帳票Ｐ３のｊａｍが検出された場合、第１区間２１に存在する帳票Ｐ１とその後に続く後続帳票Ｐｎの収容場所が、紙詰まり区間（第３区間２３）の先（エラーポケット４１）か否かを判定し、この判定結果に応じて搬送制御を変える。
【００４５】
例えば判定した帳票Ｐ１の収容場所が、エラーポケット４１の場合、第３区間２３の帳票搬送力を無くするよう搬送力付与手段を制御すると共に、後続帳票Ｐｎの収容場所が、エラーポケット４１ではない場合、第１区間２１および分岐した他方の側の搬送区間である第２区間２２における帳票搬送力の付与を維持する。
【００４６】
一方、帳票Ｐ１と後続帳票Ｐｎの収容場所が、共にエラーポケット４１の場合、第１区間２１および第３区間２３の帳票搬送力を無くするよう搬送力付与手段を制御する。
【００４７】
また、帳票Ｐ１と後続帳票Ｐｎの収容場所が、共にエラーポケット４１ではない場合、第３区間２３の帳票搬送力を無くするよう搬送力付与手段を制御する。
【００４８】
インターフェース３３には、この装置内の各部からの内部配線（バス）が接続されている。各部とは、操作部３５、搬送モータ７０、センサ５１〜６５、読取部１５、駆動部４６、クラッチ７３ａ，７４ａ，７６ａなどである。
【００４９】
帳票Ｐがｊａｍを起こす位置としては、図３に示すように、第１区間２１、第２区間２２、第３区間２３のそれぞれの位置が考えられ、ｊａｍが発生した区間によって帳票Ｐの搬送制御動作が異なる。
【００５０】
以下、図４乃至図７を参照してそれぞれの区間でｊａｍが発生した場合の搬送制御動作を説明する。まず、図４及び図５を参照して第２区間２２の帳票Ｐ２がｊａｍを起こしたケースについて説明する。
【００５１】
操作部３５から、帳票処理に関する各種指定（帳票Ｐのサイズ、処理枚数、収容ポケットなどの指定）が行われると、コントローラ３０は、指定された情報をメモリ３２に記憶し、図４に示すように、各区間のクラッチをＯｆｆにし、読み取り処理を実行する（ステップＳ１０１）。
【００５２】
ホッパ２から装置内に帳票Ｐが順に取り込まれて、読取部１５で帳票Ｐの画像が読み取られた後、分岐部分Ａに達する。
【００５３】
このとき、分岐部分Ａには、図３に示したように、第１区間２１に帳票Ｐ１が存在し、第２区間２２に帳票Ｐ２が存在し、第３区間２３に帳票Ｐ３が存在したものとする。
【００５４】
コントローラ３０は、常に、センサ５１〜６５からの検知信号を監視しており、ｊａｍが検知されると（ステップＳ１０２のＹｅｓ）、ｊａｍがどの区間で起こったかを、滞留検知したセンサ５１〜６５の位置から判定する。
【００５５】
なおセンサ５１〜６５やクラッチ７３ａ，７４ａ，７６ａおよびフラッパ８０〜８４がどの区間、どの位置に配置されているか（属するか）といった情報は予めメモリ３２に記憶されているものとする。
【００５６】
例えばセンサ５６の滞留検知により、図５に示すように、第２区間２２で帳票Ｐ２がｊａｍを起こしたことを検知すると（ステップＳ１０３のＹｅｓ）、コントローラ３０は、第２区間２２に配置されているローラ７６のクラッチ７６ａをＯｎ（回転フリー）に切り替え（ステップＳ１０４）、搬送モータ７０の駆動力がローラ７６に伝達されないようにする。これと同時に、コントローラ３０は、駆動部４６を駆動してフラッパ８０を回動して、帳票Ｐの搬送方向を第３区間２３の側に振り分ける。
【００５７】
これにより、帳票Ｐ１、帳票Ｐ３および、帳票Ｐ１に続く後続帳票Ｐｎは、第３区間２３に分岐して搬送されてエラーポケット４１に排出される。
【００５８】
帳票Ｐ１、帳票Ｐ３および、帳票Ｐ１に続く後続帳票Ｐｎが排出された後、ユーザによる復旧作業で、搬送路５に残った帳票Ｐ２が取り除かれて（ステップＳ１０５のＹｅｓ）、センサ５６の滞留検知が無くなると、コントローラ３０は、最初のステップＳ１０１の処理に戻り、全クラッチをＯｆｆ（回転）に切り替え、読み取り処理を実行する。
【００５９】
すなわち、ｊａｍ復旧のためにユーザが装置内から取り除く必要がある帳票は、ｊａｍが発生した第２区間２２の帳票Ｐ２だけになる。
【００６０】
また、例えばセンサ５４の滞留検知により、図６に示すように、第１区間２１で帳票Ｐ１がｊａｍを起こしたことを検知すると（ステップＳ１０６のＹｅｓ）、コントローラ３０は、第１区間２１に配置されているローラ７３のクラッチ７３ａをＯｎ（回転フリー）に切り替え（ステップＳ１０７）、搬送モータ７０の駆動力がローラ７３に伝達されないようにする。
【００６１】
これ以外の各クラッチ７４ａ，７６ａの状態についてはＯｆｆ状態が維持されるため、帳票Ｐ１の存在する第１区間２１の先の区間、つまり第２区間２２と第３区間２３に存在する帳票Ｐ２，Ｐ３は、指定されたポケットに搬送される。
【００６２】
この結果、ｊａｍ復旧のためにユーザが装置内から取り除く必要がある帳票は、ｊａｍが発生した第１区間２１の帳票Ｐ１とこれに続く後続帳票Ｐｎになる。
【００６３】
さらに、例えばセンサ５５の滞留検知により、図７に示すように、第３区間２３で帳票Ｐ３がｊａｍを起こしたことを検知すると（ステップＳ１０６のＮｏ）、コントローラ３０は、第３区間２３に配置されているローラ７４のクラッチ７４ａをＯｎ（回転フリー）に切り替え（ステップＳ１０８）、搬送モータ７０の駆動力がローラ７４に伝達されないようにする。
【００６４】
ここで、コントローラ３０は、第３区間２３の手前の第１区間２１に存在する帳票Ｐ１とその後続帳票Ｐｎがどのポケットに収容されるものかをメモリ３２の指定情報を読み出して確認する（ステップＳ１０９、Ｓ１１１）。
【００６５】
この確認の結果、帳票Ｐ１の収容場所が、エラーポケット４１に指定されている場合（ステップＳ１０９のＹｅｓ）、コントローラ３０は、第１区間２１に配置されているローラ７３のクラッチ７３ａを共にＯｎ（回転フリー）に切り替え（ステップＳ１１０）、搬送モータ７０の駆動力がローラ７３に伝達されないようにする。これにより、帳票Ｐ１の搬送が第１区間２１で停止される。
【００６６】
また、上記ステップＳ１０９、Ｓ１１１の確認結果、帳票Ｐ１と後続帳票Ｐｎの収容場所が、共にエラーポケット４１に指定されていない場合（ステップＳ１０９のＮｏ、Ｓ１１１のＮｏ）、コントローラ３０は、第１区間２１と第２区間２２の搬送動作（搬送力付与）を維持すると共に、フラッパ８０を第２区間２２の側に切り替え、第１区間２１の帳票Ｐ１とその後続帳票Ｐｎを第２区間２２へ振り分ける。
【００６７】
これにより、第２区間２２に既に存在していた帳票Ｐ２や、その後の帳票Ｐ１およびその後続帳票Ｐｎは第２区間２２を通じて指定ポケットに排出される。この結果、ｊａｍ復旧のためにユーザが装置内から取り除く必要がある帳票は、ｊａｍが発生した第３区間２３の帳票Ｐ３だけになる。
【００６８】
一方、上記ステップＳ１０９、Ｓ１１１の確認結果、帳票Ｐ１の収容場所がエラーポケット４１に指定されておらず、また後続帳票Ｐｎの収容場所が、エラーポケット４１に指定されている場合（ステップＳ１１１のＹｅｓ）、コントローラ３０は、第１区間２１の搬送動作（搬送力付与）を維持したまま、帳票Ｐ１が第１区間２１を通過したと同時に、第１区間２１に配置されているローラ７３のクラッチ７３ａをＯｎ（回転フリー）に切り替え（ステップＳ１１２）、搬送モータ７０の駆動力がローラ７３に伝達されないようにする。
【００６９】
これにより、帳票Ｐ１と帳票Ｐ２は指定ポケットに排出され、帳票Ｐｎは第１区間２１で止まり、指定先以外のポケットに誤って排出されなくなる。
【００７０】
また、上記ステップＳ１０９、Ｓ１１１の確認の結果、帳票Ｐ１とその後続帳票Ｐｎの収容場所が、共にエラーポケット４１に指定されていた場合（ステップＳ１０９のＹｅｓ）、コントローラ３０は、第３区間２３に配置されているローラ７４のクラッチ７４ａと第１区間２１に配置されているローラ７３のクラッチ７３ａとを共にＯｎ（回転フリー）に切り替え（ステップＳ１）、搬送モータ７０の駆動力がローラ７４とローラ７３に伝達されないようにする。
【００７１】
これにより、第３区間２３で帳票Ｐ３がｊａｍを起こしていても第２区間２２に既に存在していた帳票Ｐ２は、指定ポケットに排出される。
【００７２】
このようにこの第１実施形態の光学的文字読取装置によれば、搬送路を複数の区間に分けて搬送制御することで、搬送路内でｊａｍが発生したとき、ｊａｍが発生した区間の帳票搬送力を付与しない（ローラが回転フリーの状態）にする一方、ｊａｍが未発生の区間の帳票搬送力を維持することで、ｊａｍが未発生の区間の帳票の搬送を継続して指定されたポケットに収容することで、搬送路内に滞留する帳票数を最小限にし、ｊａｍ処理にかかる作業時間を短縮し、装置の稼動率を向上することができる。
【００７３】
なお、図１、図３では、設明を分かりやすくするために、エラーポケット４１への分岐部分Ａについてのみ構成を示したが、他のポケットへの分岐部分についても、分岐部分Ａと同様のセンサ、ベルト、ドライブローラ、プラテンローラ等といった構成は存在する。
【００７４】
続いて、図８を参照して第２実施形態を説明する。
この第２実施形態は、上記第１実施形態の光学的文字読取装置を本体ユニット５０とし、この本体ユニット５０に２台のソータ９０、１００を連設し、大量の帳票の処理を連続的に行うものである。本体ユニット５０のコントローラ３０は、ソータ９０、１００の搬送モータ９１，１０１、各ローラのクラッチおよびセンサ９７，１０７などと制御線で接続されているものとする。
【００７５】
ソータ９０，１００の搬送路５は、第１区間１１１から第５区間１１５に区分されている。例えばソータ１００の第２区間１１２には、搬送モータ１０１、ベルト１０２で連動するように接続されたドライブローラ１０３〜１０６、センサ１０７、ポケット部１０８などが備えられている。ポケット部１０８の最下段には、エラーポケット１０９が設けられている。
【００７６】
また、ソータ９０の第４区間１１４には、搬送モータ９１、ベルト９２で連動するように接続されたドライブローラ９３〜９６、センサ９７、ポケット部９８などが備えられている。ポケット部９８の最下段には、エラーポケット９９が設けられている。ドライブローラ９３〜９６は、上記第１実施形態で説明したものと同じ電磁クラッチが設けられている。また図８では、設明を分かりやすくするために、第２区間１１２と第４区間１１４についてのみ構成を詳述したが、他の区間についてもセンサ、搬送モータ、ベルト、ドライブローラ、プラテンローラ等といった構成は存在する。
【００７７】
この第２実施形態の場合、大量の帳票Ｐ１１〜Ｐ３１が搬送路５上を搬送されて連続的に処理される中で、例えば第４区間１１４に配置されたセンサ９７により、帳票Ｐ２３のｊａｍが検出されると、コントローラ３０は、ローラ１０７のクラッチ１０７ａをＯｎ（回転フリー）に切り替える。
【００７８】
これにより、搬送モータ１０１の駆動力がローラ１０７に伝達されなくなり、ｊａｍを起こした帳票Ｐ２３はこの位置に残る。コントローラ３０は、この他のローラ１０３〜１０６のクラッチおよびソータ９０側のローラ１０３〜１０６のクラッチには切り替え制御をしないことから、第１区間１１１および第２区間１１２を搬送中の帳票Ｐ１１〜Ｐ１６は、指定収容場所がソータ１００内のポケット部１０８であれば、指定ポケットへ搬送（排出）される。
【００７９】
なお、帳票Ｐ１１〜Ｐ１６のうち、収容場所としてソータ９０側のポケット部９８が指定されていた帳票については、コントローラ３０は、収容場所をソータ１００内のエラーポケット１０９に変更し、第３区間１１３へ搬送し、ソータ１００内のエラーポケット１０９に排出する。
【００８０】
また、帳票Ｐ２３がｊａｍを起こした時点で、既に第３区間１１３まで搬送されていた帳票Ｐ１７〜Ｐ２１についても、搬送動作が継続されるので、指定ポケットへ搬送（排出）される。
【００８１】
さらに、帳票Ｐ２３がｊａｍを起こした時点で、ローラ１０７の位置を通過していた帳票Ｐ２４と、ソータ９０側の第５区間１１５まで搬送されていた帳票Ｐ２５〜Ｐ３１についても搬送動作が継続されることから、それぞれの指定ポケットへ搬送（排出）される。
【００８２】
したがって、ｊａｍ復旧のためにユーザが装置内から取り除く必要がある帳票は、ｊａｍが発生した第４区間１１４の帳票Ｐ２３だけになる。
【００８３】
このようにこの第２実施形態によれば、複数のソータ９０，１００を本体ユニット５０に連結し、本体ユニット５０で処理した帳票Ｐ１１〜Ｐ３１を連続的に搬送して各ソータ９０，１００に振り分けてそれぞれの指定ポケットに収容するようなケースにおいて、例えば第１区間１１１〜第５区間１１５のうち、連結部付近の第４区間１１４で帳票Ｐ２３がｊａｍを起こしたときには、帳票Ｐ２３以外の帳票はすべてポケット部９８，１０８へ排出されるので、復旧作業の際には、帳票Ｐ２３だけを取り除くだけでｊａｍから復旧でき、作業時間を短縮すると共に、装置の稼働率を向上することができる。
【００８４】
なお、本願発明は、上記実施形態のみに限定されるものではなく、実施段階ではその要旨を逸脱しない範囲で構成要素を変形してもよい。
【００８５】
上記実施形態では、一つの駆動部（搬送モータ）で、ベルトを利用して複数のクラッチ付きドライブローラを回転させて帳票Ｐを搬送する例において、ドライブローラの電磁クラッチのＯｎ／Ｏｆｆを個々に行うことにより、区間毎の帳票Ｐの搬送動作を個々に制御したが、この他、例えば区間毎に駆動部（搬送モータ）を設置して、個々のクラッチなしのローラの回転を直接制御してもよい。すなわち、各搬送区間毎に、帳票Ｐに対して搬送力を付与する搬送力付与手段であれば、いかなる構成も本発明の範囲に含まれる。
【００８６】
また、第１実施形態では、搬送路を、第１区間２１とこの第１区間２１から分岐する第２区間２２と第３区間２３とに区分し、帳票Ｐを、第１区間２１から第２区間２２または第３区間２３を通じてそれぞれの区間の先の収容場所（エラーポケット４１または第１ポケット〜第５ポケット）へ搬送する例について説明したが、本発明の効果を得るための最低限の構成としては、搬送路を２つの区間（第１区間と第２区間）に区分し、帳票を第１区間から第２区間を通じてその先へ搬送する形態とすればよい。つまり、搬送路は、最低限、２つの区間に区分されていれば、３つ又に分岐していなくてもよく、直線の搬送路であってもよい。
【００８７】
この場合、コントローラなどの制御部は、第１区間での帳票の紙詰まりが検出された場合に、第１区間の帳票搬送力を無くし、かつ第２区間の帳票搬送力の付与を維持するよう搬送力付与手段を制御する。これにより、第１区間で紙詰まりが発生したときに第２区間に存在する帳票を搬送路の先へ排出することができる。
【００８８】
また、上述した実施形態の各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。
【００８９】
電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【００９０】
Ｐ１，Ｐ２，Ｐ３，Ｐｎ、Ｐ１１-Ｐ３１…帳票、５１-６５…センサ、８０-８４…フラッパ、１０３-１０６…ドライブローラ、２…ホッパテーブル（ホッパ）、３…ピックアップローラ、４…フィードローラ、５…搬送路、６…セパレートローラ、１５…読取部、２１…第１区間、２２…第２区間、２３…第３区間、３０…コントローラ、３２…メモリ、３３…インターフェース、３５…操作部、４０…ポケット部、４１…エラーポケット、４２…第１ポケット、４３…第２ポケット、４４…第３ポケット、４５…第４ポケット、４６…第５ポケット、４６…駆動部、５０…本体ユニット、７０…搬送モータ、７１…回転軸、７２，７５…ベルト、７３ａ，７４ａ，７６ａ…電磁クラッチ（クラッチ）、７７，７８，７９…ピンチローラ、９０，１００…ソータ、９１，１０１…搬送モータ、９２…ベルト、９３-９６…ドライブローラ、９７，１０７…センサ、９８，１０８…ポケット部、９９，１０９…エラーポケット。
【図１】
2010275082.tif 000003
【図２】
2010275082.tif 000004
【図３】
2010275082.tif 000005
【図４】
2010275082.tif 000006
【図５】
2010275082.tif 000007
【図６】
2010275082.tif 000008
【図７】
2010275082.tif 000009
【図８】
2010275082.tif 000010